(57)【要約】【課題】  コストを抑え時間をかけずに遊技盤を新しいデザインへ変更させる。【解決手段】  遊技盤より前方に設けられた前面扉に、第１内部扉３０と第２内部扉から構成される開閉自在な内部扉２９を設ける。第１内部扉３０は、第１ガラス板３５とそれを保持する第１フレーム３４とから構成され、第１ガラス板３５に第１装飾シート５０を密着させて固定することができる。第１装飾シート５０は、無色透明のベース５０ａとベース上に着色を施した図案５０ｂ、５０ｃ、５０ｄとからなる。これらの図案は前面扉閉止時に遊技盤上に設けられた入賞部材や発光部材に重なって見えるように描かれている。【選択図】        図２
2005192785.tif 000002
【特許請求の範囲】
【請求項１】
遊技媒体の動作に変化を与える遊技部材を盤上に備えた遊技盤と、前記遊技盤の前方に開閉自在に設けられ、閉じたときに前記遊技盤と対面し前記遊技盤を視認可能にする窓部を備えた前面扉とを有する遊技機において、
前記前面扉を閉じたときに前記遊技部材に対面する透明または不透明な着色部を有する透明な装飾シートを前記窓部に設けたことを特徴とする遊技機。
【請求項２】
前記窓部は、互いに平行に設けられるとともに前記前面扉を閉じたときに前記遊技盤と対面する複数の透明板を有し、前記装飾シートを前記透明板に設けたことを特徴とする請求項１記載の遊技機。
【請求項３】
前記窓部は、前方に設けられた透明板である第１透明板と、第１透明板の後方に設けられた透明板である第２透明板とを有し、前記第１透明板の後面側に密着して前記装飾シートを設け、前記第２透明板の前面側に密着して前記装飾シートを設けたことを特徴とする請求項２記載の遊技機。
【請求項４】
前記遊技部材は発光体を有し、前記前面扉を閉じたときに発光体を有する遊技部材と対面する前記着色部は有色透明であることを特徴とする請求項１ないし３いずれか一つ記載の遊技機。
【発明の詳細な説明】
【技術分野】
【０００１】
本発明は、遊技場に設置して使用される遊技機に関するものである。
【背景技術】
【０００２】
遊技場に設置される遊技機として、例えばパチンコ機などの弾球遊技機が挙げられる。パチンコ機を構成する基体となる本体基部には、遊技領域が設けられた遊技盤が配設されており、遊技領域を視認させる窓部を備えた前面扉が遊技盤の前方において開閉自在に設けられている。
【０００３】
遊技盤上には、センター役物や電動チューリップ等の入賞部材が表面に装飾を施されて設けられている。また、遊技盤上には、内部に発光体を有する発光部材、パチンコ球の動作に変化を与える障害部材等も設けられている。これら入賞部材、発光部材、障害部材等の遊技部材は、遊技者を視覚的に楽しませる。
【０００４】
ところで、遊技機の遊技盤は、遊技者の興味を常に惹きつけるために、短いサイクルで新しいデザインに変更されることが多い。上述した遊技部材は遊技盤の新しいデザインへの変更の度毎に新しいものに取り替えられてきた。
【発明の開示】
【発明が解決しようとする課題】
【０００５】
遊技部材を新しいものに取り替える際には、遊技部材の設計、型製作、成型等の手順をふんで新しいものを製作しなければならない。そのため、遊技盤の新しいデザインへの変更にかかるコストが上昇すると共に新しいデザインへの変更には時間がかかる。
【０００６】
本発明では、コストを抑え時間をかけずに遊技盤を新しいデザインへ変更させることが可能な遊技機を提供することを目的とする。
【課題を解決するための手段】
【０００７】
本発明は、遊技媒体の動作に変化を与える遊技部材を盤上に備えた遊技盤と、前記遊技盤の前方に開閉自在に設けられ、閉じたときに前記遊技盤と対面し前記遊技盤を視認可能にする窓部を備えた前面扉とを有する遊技機に関し、前記前面扉を閉じたときに前記遊技部材に対面する透明または不透明な着色部を有する透明な装飾シートを前記窓部に設けたことを特徴とする。なお、遊技部材には、形成された入賞口に遊技媒体を入賞させる入賞部材、内部に発光体を備えた発光部材、遊技媒体の障害となる障害部材等がある。
【０００８】
前記窓部は、互いに平行に設けられるとともに前記前面扉を閉じたときに前記遊技盤と対面する複数の透明板を有し、前記装飾シートを前記透明板に設けることが好ましい。特に、前記窓部は、前方に設けられた透明板である第１透明板と、第１透明板の後方に設けられた透明板である第２透明板とを有し、前記第１透明板の後面側に密着して前記装飾シートを設け、前記第２透明板の前面側に密着して前記装飾シートを設けることが好適である。
【０００９】
前記遊技部材は発光体を有し、前記前面扉を閉じたときに発光体を有する遊技部材と対面する前記着色部は有色透明であることが好ましい。
【発明の効果】
【００１０】
本発明によれば、遊技媒体の動作に変化を与える遊技部材を盤上に備えた遊技盤と、前記遊技盤の前方に開閉自在に設けられ、閉じたときに前記遊技盤と対面し前記遊技盤を視認可能にする窓部を備えた前面扉とを有する遊技機において、前記前面扉を閉じたときに前記遊技部材に対面する透明または不透明な着色部を有する透明な装飾シートを前記窓部に設けたので、遊技盤を新しいデザインへ変更させる際には、装飾シートを取り替えるだけでよく、コストを抑えて時間をかけずに遊技盤を新しいデザインへ変更させることができる。さらには、遊技部材をシンプルな形状としておけば、遊技部材の再利用が可能となる。
【００１１】
窓部は、互いに平行に設けられるとともに前面扉を閉じたときに遊技盤と対面する複数の透明板を有し、装飾シートを透明板に設けることが好ましい。特に透明板及び装飾シートをそれぞれ２枚用いる場合には、窓部は、前方に設けられた透明板である第１透明板と、第１透明板の後方に設けられた透明板である第２透明板とを有し、第１透明板の後面側に密着して装飾シートを設け、第２透明板の前面側に密着して装飾シートを設けるので、これらの装飾シートは、前面扉が閉じた状態で遊技者等に触れられることはなく、また遊技媒体が接触することもないため、良好な状態で使用を続けることができる。さらには、第１透明板の後面側に密着した装飾シートと第２透明板の前面側に密着した装飾シートとの間には距離があるため、遊技者は第２透明板の前面側に密着した装飾シートの着色部より第１透明板の後面側に密着した装飾シートの着色部の方がより前方に見え、これらの着色部は立体的な図案となるため、遊技者を視覚的に惹きつける。
【００１２】
遊技部材は発光体を有し、前面扉を閉じたときに発光体を有する遊技部材と対面する着色部は有色透明であるので、発光体が発光すると着色部が鮮やかに見え、遊技者を視覚的に惹きつける。
【発明を実施するための最良の形態】
【００１３】
図１に示すように、遊技機の本実施形態であるパチンコ機２は、本体ユニット３、遊技盤ユニット４、前面扉５を備えている。パチンコ機２で使用される遊技媒体はパチンコ球である。本体ユニット３には、パチンコ球発射装置、賞球払出装置、電源回路、ランプ、スピーカなどの遊技状態に応じて作動される装置が設けられている。
【００１４】
遊技盤ユニット４は、遊技盤８と遊技盤８の後方に設けられた制御回路装置（図示なし）とから構成されている。遊技盤８上には、図柄表示装置１０と枠部材１１からなるセンター役物、始動入賞口１２ａを有する始動入賞部材１２、通常入賞口１３ａを有する通常入賞部材１３などの入賞部材、入賞時等に点灯する発光部材１４、アタッカ１５、アウト口１６ａを有するアウト部材１６が設けられている。センター役物は、中央に配置された図柄表示装置１０の外側を枠部材１１で囲っている。枠部材１１、始動入賞部材１２、通常入賞部材１３、発光部材１４はそれぞれの前面側が平面１１ｂ、１２ｂ、１３ｂ、１４ｂとなっており、この平面１１ｂ、１２ｂ、１３ｂ、１４ｂには直接には装飾が施されていない。これらの平面１１ｂ、１２ｂ、１３ｂ、１４ｂには後述する装飾シート５０、５１によって装飾が施される。発光部材１４は内部に３個のＬＥＤ１４ａを有し、このＬＥＤ１４ａは制御回路装置からの指示により点灯する。なお、遊技盤８上には、図示は省略しているが障害釘や風車などの障害部材が適宜箇所に設けられている。前述した各種入賞部材、発光部材１４、障害部材等の遊技部材は、パチンコ球が接触するとパチンコ球の動作に変化を与えるものである。
【００１５】
遊技盤８の背面側には、制御回路装置が設けられており、この制御回路装置は、遊技状態に応じて各種装置を作動制御するものである。制御回路装置は、パチンコ機２の機種に応じた遊技を実行処理させるメイン制御基板や、図柄表示装置１０の表示制御、スピーカから出力される音声制御などを行うサブ制御基板などから構成されている。
【００１６】
操作ハンドル２０を操作すると、遊技球としてのパチンコ球がパチンコ球発射装置によって一つずつ遊技盤上に打ち出され、始動入賞口１２ａ、通常入賞口１３ａ、アウト口１６ａのいずれかに入る。始動入賞口１２ａにパチンコ球が入ったときには図柄表示装置１０が作動されて当り判定や演出処理が行われる。そして、図柄の可変表示が停止されたときに所定の図柄の組み合わせが得られると大当たりとなり、遊技上の利益を獲得する上で遊技者にとって通常よりも有利となる遊技状態である大当たりモードに所定期間移行される。
【００１７】
この大当たりモードに移行すると、例えば開閉可能な扉部材からなるアタッカ１５は、１回につき所定時間またはパチンコ球が所定個数入賞するまで開き、この間、アタッカ１５の奥に設けられた大入賞口１５ａは閉口状態から開口状態となる。この動作が所定回数繰り返される。始動入賞口１２ａ、通常入賞口１３ａまたはアタッカ１５の奥の大入賞口１５ａにパチンコ球が入賞すると所定個数のパチンコ球が払い出される。すなわち、パチンコ球が入賞した場合には、その入賞口の種類に応じた個数の景品球が払出し口２４から球受皿２５に払い出される。一方、始動入賞口１２ａ、通常入賞口１３ａ、アタッカ１５の奥の大入賞口１５ａのいずれにもパチンコ球が入賞しなかった場合には、これらのパチンコ球は遊技盤８の下端部に形成されたアウト口１６ａに導かれ、ハズレ球として本体ユニット３の内部に回収される。
【００１８】
前面扉５は、外部扉２８と内部扉２９とからなり、遊技盤８の前方に設けられている。外部扉２８は中央部に開口２８ａを有し、前面側に装飾が施されている。
【００１９】
図２に示すように、内部扉２９は第１内部扉３０と第２内部扉３１とから構成される。第１内部扉３０は略ロ字形の第１フレーム３４とその第１フレーム３４に嵌め込まれる第１ガラス板（第１透明板）３５から構成され、第２内部扉３１は略ロ字形の第２フレーム３６とその第２フレームに嵌め込まれる第２ガラス板（第２透明板）３７から構成される。なお、外部扉２８の開口２８ａと、内部扉２９とから前面扉５の窓部３８が構成される。
【００２０】
第１フレーム３４を前面側から眺めて左側面には、軸受け孔４１ａを有する軸受け部材４１が設けられている。この軸受け孔４１ａに第２フレーム３６の左側面に設けられた軸部材４２の軸４２ａが挿入されると、第１内部扉３０と第２内部扉３１が軸着される。なお、第１フレーム３４の左側面には、内部扉２９を外部扉２８に軸着させる軸部材４３も設けられている。この軸部材４３は、外部扉２８に設けられた図示しない軸受け部材に挿入され、第１内部扉３０と第２内部扉３１とで構成される内部扉２９と外部扉２８とを軸着させる。
【００２１】
第１フレーム３４の右側面には、係合孔４６ａを有する係合部材４６が設けられている。この係合孔４６ａに第２フレーム３６の右側面に設けられた係合部材４７の係合爪４７ａを係合させることで、図３に示すように、第１内部扉３０と第２内部扉３１は互いに固定される。また、これら第１内部扉３０と第２内部扉３１からなる内部扉２９を外部扉に固定する際には、係合部材４８（図１参照）が用いられる。
【００２２】
図２に示すように、第１フレーム３４には第１ガラス板３５より後面側に、後述する第１装飾シート５０を固定するための突起３４ａ、３４ｂ、３４ｃ、３４ｄが設けられている。突起３４ａ、３４ｂ、３４ｃ、３４ｄは、各断面が略Ｌ字形（図４参照）をしており、フレーム一辺の長さの半分程度の長さで、フレームの内面にフレームに沿って形成されている。突起３４ａ、３４ｂ、３４ｃ、３４ｄは、第１フレーム３４を構成する４つのフレームにそれぞれ形成されている。第１フレーム３４に設けられる突起３４ａ、３４ｂ、３４ｃ、３４ｄと第１ガラス板３５の間には、第１装飾シートの厚みと同程度の厚みの隙間（図４参照）が設けられている。
【００２３】
隙間に第１装飾シート５０を差し込むと、第１装飾シート５０は第１ガラス板３５と突起３４ａ、３４ｂ、３４ｃ、３４ｄに両面から圧され、第１ガラス板３５の後面に密着して固定される。また、突起３４ａ、３４ｂ、３４ｃ、３４ｄは後方に延びるようにも形成されている。
【００２４】
第２内部扉３１の第２フレーム３６にも第１フレーム３４と同様に突起３６ａ、３６ｂ、３６ｃ、３６ｄが設けられている。ただし、第１フレーム３４の突起３４ａ、３４ｂ、３４ｃ、３４ｄが第１ガラス板３５より後面側に設けられているのに対し、第２フレーム３６の突起３６ａ、３６ｂ、３６ｃ、３６ｄは第２ガラス板３７より前面側に設けられている。第２装飾シート５１は第２ガラス板３７の前面に密着して固定される。
【００２５】
図３のように第１内部扉３０と第２内部扉３１を閉じると、図４の断面図に示すように、突起３４ｃ、３４ｄが第２装飾シート５１を第２ガラス板３７に押し付け、また、突起３６ａ、３６ｄが第１装飾シート５０を第１ガラス板３５に押し付ける。これにより、第１装飾シート３０と第２装飾シート３１は第１ガラス板３５と第２ガラス板３７に確実に固定されることとなる。なお、図４には図示されていないが、突起３４ａ、３４ｂが第２装飾シート５１を第２ガラス板３７に押し付け、また、突起３６ｂ、３６ｃが第１装飾シート５０を第１ガラス板３５に押し付ける。
【００２６】
図２に示すように、第１装飾シート５０は、第１ガラス板３５のサイズより一回り小さいサイズの矩形状のシートである。第１装飾シート５０のベース５０ａは無色透明の樹脂で形成され、ベース５０ａ上に図案（着色部）５０ｂ、５０ｃ、５０ｄが描かれている。第２装飾シート５１も第１装飾シート５０と同サイズで同様の構成をしている。第２装飾シート５１は、ベース５１ａ上に図案（着色部）５１ｂ、５１ｃ、５１ｄ、５１ｅが描かれている。
【００２７】
第２装飾シート５１のベース５１ａ上の図案５１ｂ、５１ｃ、５１ｄ、５１ｅは、遊技盤８上のセンター役物の枠部材１１、始動入賞部材１２、通常入賞部材１３、発光部材１４のそれぞれの平面１１ｂ、１２ｂ、１３ｂ、１４ｂの形状と同様の形状である。そして、前面扉５を閉じたときに図案５１ｂ、５１ｃ、５１ｄ、５１ｅが平面１１ｂ、１２ｂ、１３ｂ、１４ｂに対面する位置に描かれている。図案５１ｂ、５１ｃ、５１ｄは着色され不透明に描かれ、５１ｅは着色されて透明に描かれている。
【００２８】
第１装飾シート５０のベース５０ａ上の図案５０ｂ、５０ｃ、５０ｄは、任意の形状（本実施形態では星形）で、図案５１ｂ、５１ｃ、５１ｄに重なる位置に不透明に描かれている。
【００２９】
図５に示すように、遊技者が、前面扉５の閉状態でパチンコ機２の遊技盤８上を眺める際には、図案５１ｂ、５１ｃ、５１ｄ、５１ｅがそれぞれ枠部材１１、始動入賞部材１２、通常入賞部材１３、発光部材１４の平面１１ｂ、１２ｂ、１３ｂ、１４ｂに描かれているように見える。また、図案５０ｂ、５０ｃ、５０ｄは図案５１ｂ、５１ｃ、５１ｄから浮き上がっているように見える。さらに、図案５１ｅは、入賞時等においてＬＥＤ１４ａが点灯することにより鮮やかに見える。
【００３０】
遊技盤８のデザイン変更の際には、第１装飾シート５０及び第２装飾シート５１を外して新しい装飾シートに取り替えればよい。また、より複雑なデザイン変更の際には、始動入賞部材１２、通常入賞部材１３、発光部材１４の遊技盤８上での配置を変えた上で新しい装飾シートに取り替えればよい。
【００３１】
このように、前面扉５の第１ガラス板３５及び第２ガラス板３７に、図案を描いた第１装飾シート５０及び第２装飾シート５１を設けるので、遊技盤８を新しいデザインへ変更させる際には、装飾シートを取り替えるだけでよく、コストを抑えて時間をかけずに遊技盤８を新しいデザインへ変更させることができる。始動入賞部材１２、通常入賞部材１３、発光部材１４等の遊技部材をシンプルな形状としておけば、デザイン変更の際にこれらの遊技部材の再利用がし易くなる。また、第１装飾シート５０及び第２装飾シート５１は、前面扉５が閉じた状態では遊技者等は触れることができず、また、パチンコ球が接触することもないため、良好な状態で使用することができる。
【００３２】
なお、上記実施形態では、第１内部扉３０の第１フレーム３４に設けた突起３４ａ、３４ｂ、３４ｃ、３４ｄ及び第２内部扉３１の第２フレーム３６に設けた突起３６ａ、３６ｂ、３６ｃ、３６ｄにより第１装飾シート５０及び第２装飾シート５１を固定していたが、その替わりに接着剤を用いて第１装飾シート５０を第１ガラス板３５に、第２装飾シート５１を第２ガラス板３７に接着させてもよい。装飾シート５０、５１の固定方法は、その他公知の方法でもよい。
【００３３】
上記実施形態では、２枚のガラス板３５、３７が用いられ、それらガラス板３５、３７の間に２枚の装飾シート５０、５１が設けられたが、ガラス板の枚数はこれに限られずに任意の枚数でよいし、また、装飾シートの枚数も任意の枚数でよい。装飾シートは任意のガラス板の前面側、後面側どちらに設けてもよい。ただし、装飾シートを良好な状態で長持ちさせるために、最も前方に配されたガラス板の前面側と、最も後方に配されたガラス板の後面側とを避けて装飾シートを設けるのが好ましい。例えばガラス板を３枚、装飾シートを２枚用いる場合には、最も後方に配されたガラス板の前面側に装飾シートを設け、中間に配されたガラス板の後面側にもう一枚の装飾シートを設けるとよい。
【００３４】
上記実施形態では、第１装飾シート５０を第１ガラス板３５全面に密着させ、また、第２装飾シート５１を第２ガラス板３７全面に密着させたが、その替わりに、各図案５０ｂ、５０ｃ、５０ｄ、５１ｂ、５１ｃ、５１ｄ、５１ｅのみを描いた装飾シートを第１ガラス板３５、第２ガラス板３７のそれぞれの所定位置に貼り付けてもよい。
【００３５】
上記実施形態では、内部扉２９は第１内部扉３０と第２内部扉３１が軸着され開閉自在な構造とされたが、内部扉２９の構造はこれに限られず、装飾シート５０、５１を装着できる構造であれば他の構造でもよい。また、上記実施形態では、内部扉２９と外部扉２８が軸着される構造であったが、内部扉２９が製造段階で外部扉２８に固定されている構造であってもよい。
【００３６】
上記実施形態では、パチンコ機２を用いて説明したが、本発明はパチンコ機に限られずに他の遊技機に適用してもよい。例えば、スロットマシンに適用してもよい。
【図面の簡単な説明】
【００３７】
【図１】本発明を実施したパチンコ機の前面扉開状態の外観斜視図である。
【図２】内部扉の分解図である。
【図３】内部扉の外観斜視図である。
【図４】図２の内部扉のＡ−Ａ断面図である。
【図５】パチンコ機の外観斜視図である。
【符号の説明】
【００３８】
２      パチンコ機（遊技機）
５      前面扉
８      遊技盤
１１    枠部材（遊技部材）
１１ｂ  平面
１２    始動入賞部材（遊技部材）
１２ｂ  平面
１３    通常入賞部材（遊技部材）
１３ｂ  平面
１４    発光部材（遊技部材）
１４ａ  ＬＥＤ（発光体）
１４ｂ  平面
２８    外部扉
２８ａ  開口
２９    内部扉
３０    第１内部扉
３１    第２内部扉
３４    第１フレーム
３４ａ、３４ｂ、３４ｃ、３４ｄ    突起
３５    第１ガラス板（第１透明板）
３６    第２フレーム
３６ａ、３６ｂ、３６ｃ、３６ｄ    突起
３７    第２ガラス板（第２透明板）
３８    窓部
５０    第１装飾シート（装飾シート）
５０ｂ、５０ｃ、５０ｄ    図案（着色部）
５１    第２装飾シート（装飾シート）
５１ｂ、５１ｃ、５１ｄ、５１ｅ    図案（着色部）
【図１】
2005192785.tif 000003
【図２】
2005192785.tif 000004
【図３】
2005192785.tif 000005
【図４】
2005192785.tif 000006
【図５】
2005192785.tif 000007